【手続補正書】
【提出日】平成17年12月20日(2005.12.20)
【手続補正１】
【補正対象書類名】特許請求の範囲
【補正対象項目名】全文
【補正方法】変更
【補正の内容】
【特許請求の範囲】
【請求項１】
泌尿器系障害を処置し得る候補化合物を同定する方法であって、該方法は、
ｉ）試験化合物と、以下からなる群より選択されるポリペプチドを含むサンプルとを、該化合物が該ポリペプチドに結合するのに適切な条件下で混合する工程：
ａ）配列番号２、５、８、１１、１４、１７、２０、２３、２６、２９、３２、３５、３８、４１、４４、４７、５０、５３、５６、５９、６２または６５のアミノ酸配列と少なくとも９５％同一であるアミノ酸配列を含むポリペプチド；
ｂ）配列番号１、３、４、６、７、９、１０、１２、１３、１５、１６、１８、１９、２１、２２、２４、２５、２７、２８、３０、３１、３３、３４、３６、３７、３９、４０、４２、４３、４５、４６、４８、４９、５１、５２、５４、５５、５７、５８、６０、６１、６３、６４または６６のヌクレオチド配列を含む核酸と少なくとも９５％同一であるヌクレオチド配列を含む核酸分子によってコードされるポリペプチド；
ｃ）配列番号２、５、８、１１、１４、１７、２０、２３、２６、２９、３２、３５、３８、４１、４４、４７、５０、５３、５６、５９、６２または６５のアミノ酸配列を含むポリペプチド；および
ｄ）配列番号１、３、４、６、７、９、１０、１２、１３、１５、１６、１８、１９、２１、２２、２４、２５、２７、２８、３０、３１、３３、３４、３６、３７、３９、４０、４２、４３、４５、４６、４８、４９、５１、５２、５４、５５、５７、５８、６０、６１、６３、６４または６６に示されるヌクレオチド配列によってコードされるポリペプチド；ならびに
ｉｉ）該ポリペプチドに対する該試験化合物の結合を検出して、それによって、該ポリペプチドに結合する化合物を同定する工程
を包含し、それによって、泌尿器系障害を処置し得る化合物を同定する、方法。
【請求項２】
泌尿器系障害を処置し得る候補化合物を同定する方法であって、該方法は、
ｉ）試験化合物と、以下からなる群より選択されるポリペプチドを含むサンプルとを、該試験化合物が該ポリペプチドの活性を調節するのに適切な条件下で混合する工程：
ａ）配列番号２、５、８、１１、１４、１７、２０、２３、２６、２９、３２、３５、３８、４１、４４、４７、５０、５３、５６、５９、６２または６５のアミノ酸配列と少なくとも９５％同一であるアミノ酸配列を含むポリペプチド；
ｂ）配列番号１、３、４、６、７、９、１０、１２、１３、１５、１６、１８、１９、２１、２２、２４、２５、２７、２８、３０、３１、３３、３４、３６、３７、３９、４０、４２、４３、４５、４６、４８、４９、５１、５２、５４、５５、５７、５８、６０、６１、６３、６４または６６のヌクレオチド配列を含む核酸と少なくとも９５％同一であるヌクレオチド配列を含む核酸分子によってコードされるポリペプチド；
ｃ）配列番号２、５、８、１１、１４、１７、２０、２３、２６、２９、３２、３５、３８、４１、４４、４７、５０、５３、５６、５９、６２または６５のアミノ酸配列を含むポリペプチド；および
ｄ）配列番号１、３、４、６、７、９、１０、１２、１３、１５、１６、１８、１９、２１、２２、２４、２５、２７、２８、３０、３１、３３、３４、３６、３７、３９、４０、４２、４３、４５、４６、４８、４９、５１、５２、５４、５５、５７、５８、６０、６１、６３、６４または６６に示されるヌクレオチド配列によってコードされるポリペプチド；ならびに
ｉｉ）該試験化合物が該ポリペプチドの活性を調節する能力をアッセイする工程
を包含し、それによって、泌尿器系障害を処置し得る化合物を同定する、方法。
【請求項３】
泌尿器系障害を処置し得る化合物を同定する方法であって、該方法は、
ｉ）試験化合物と、以下からなる群より選択されるポリヌクレオチドを発現する細胞とを混合する工程：
ａ）配列番号１、３、４、６、７、９、１０、１２、１３、１５、１６、１８、１９、２１、２２、２４、２５、２７、２８、３０、３１、３３、３４、３６、３７、３９、４０、４２、４３、４５、４６、４８、４９、５１、５２、５４、５５、５７、５８、６０、６１、６３、６４または６６のヌクレオチド配列と少なくとも９５％同一であるヌクレオチド配列を含む核酸分子；
ｂ）配列番号１、３、４、６、７、９、１０、１２、１３、１５、１６、１８、１９、２１、２２、２４、２５、２７、２８、３０、３１、３３、３４、３６、３７、３９、４０、４２、４３、４５、４６、４８、４９、５１、５２、５４、５５、５７、５８、６０、６１、６３、６４または６６のヌクレオチド配列を含む核酸分子；
ｃ）配列番号２、５、８、１１、１４、１７、２０、２３、２６、２９、３２、３５、３８、４１、４４、４７、５０、５３、５６、５９、６２または６５のアミノ酸配列と少なくとも９５％同一であるアミノ酸配列を含むポリペプチドをコードする核酸分子；および
ｄ）配列番号２、５、８、１１、１４、１７、２０、２３、２６、２９、３２、３５、３８、４１、４４、４７、５０、５３、５６、５９、６２または６５のアミノ酸配列をコードする核酸分子；ならびに
ｉｉ）該試験化合物が該核酸分子の発現を調節する能力をアッセイする工程
を包含し、それによって、泌尿器系障害を処置し得る化合物を同定する、方法。
【請求項４】
過形成を調節し得る候補化合物を同定するための方法であって、該方法は、
ｉ）試験化合物と、以下からなる群より選択されるポリペプチドを含むサンプルとを、該化合物が該ポリペプチドに結合するのに適切な条件下で混合する工程：
ａ）配列番号２、５、８、１１、１４、１７、２０、２３、２６、２９、３２、３５、３８、４１、４４、４７、５０、５３、５６、５９、６２または６５のアミノ酸配列と少なくとも９５％同一であるアミノ酸配列を含むポリペプチド；
ｂ）配列番号１、３、４、６、７、９、１０、１２、１３、１５、１６、１８、１９、２１、２２、２４、２５、２７、２８、３０、３１、３３、３４、３６、３７、３９、４０、４２、４３、４５、４６、４８、４９、５１、５２、５４、５５、５７、５８、６０、６１、６３、６４または６６のヌクレオチド配列を含む核酸と少なくとも９５％同一であるヌクレオチド配列を含む核酸分子によってコードされるポリペプチド；
ｃ）配列番号２、５、８、１１、１４、１７、２０、２３、２６、２９、３２、３５、３８、４１、４４、４７、５０、５３、５６、５９、６２または６５のアミノ酸配列を含むポリペプチド；および
ｄ）配列番号１、３、４、６、７、９、１０、１２、１３、１５、１６、１８、１９、２１、２２、２４、２５、２７、２８、３０、３１、３３、３４、３６、３７、３９、４０、４２、４３、４５、４６、４８、４９、５１、５２、５４、５５、５７、５８、６０、６１、６３、６４または６６に示されるヌクレオチド配列によってコードされるポリペプチド；ならびに
ｉｉ）該ポリペプチドに対する該試験化合物の結合を検出し、それによって、該ポリペプチドに結合する化合物を同定する工程
を包含し、それによって、過形成を調節し得る化合物を同定する、方法。
【請求項５】
過形成を調節し得る候補化合物を同定するための方法であって、該方法は、
ｉ）試験化合物と、以下からなる群より選択されるポリペプチドを含むサンプルとを、該試験化合物が該ポリペプチドの活性を調節するのに適切な条件下で混合する工程：
ａ）配列番号２、５、８、１１、１４、１７、２０、２３、２６、２９、３２、３５、３８、４１、４４、４７、５０、５３、５６、５９、６２または６５のアミノ酸配列と少なくとも９５％同一であるアミノ酸配列を含むポリペプチド；
ｂ）配列番号１、３、４、６、７、９、１０、１２、１３、１５、１６、１８、１９、２１、２２、２４、２５、２７、２８、３０、３１、３３、３４、３６、３７、３９、４０、４２、４３、４５、４６、４８、４９、５１、５２、５４、５５、５７、５８、６０、６１、６３、６４または６６のヌクレオチド配列を含む核酸と少なくとも９５％同一であるヌクレオチド配列を含む核酸分子によってコードされるポリペプチド；
ｃ）配列番号２、５、８、１１、１４、１７、２０、２３、２６、２９、３２、３５、３８、４１、４４、４７、５０、５３、５６、５９、６２または６５のアミノ酸配列を含むポリペプチド；および
ｄ）配列番号１、３、４、６、７、９、１０、１２、１３、１５、１６、１８、１９、２１、２２、２４、２５、２７、２８、３０、３１、３３、３４、３６、３７、３９、４０、４２、４３、４５、４６、４８、４９、５１、５２、５４、５５、５７、５８、６０、６１、６３、６４または６６に示されるヌクレオチド配列によってコードされるポリペプチド；ならびに
ｉｉ）該試験化合物が該ポリペプチドの活性を調節する能力をアッセイする工程
を包含し、それによって、過形成を処置し得る化合物を同定する、方法。
【請求項６】
過形成を調節し得る化合物を同定する方法であって、該方法は、
ｉ）試験化合物と、以下からなる群より選択されるポリヌクレオチドを発現する細胞とを混合する工程：
ａ）配列番号１、３、４、６、７、９、１０、１２、１３、１５、１６、１８、１９、２１、２２、２４、２５、２７、２８、３０、３１、３３、３４、３６、３７、３９、４０、４２、４３、４５、４６、４８、４９、５１、５２、５４、５５、５７、５８、６０、６１、６３、６４または６６のヌクレオチド配列と少なくとも９５％同一であるヌクレオチド配列を含む核酸分子；
ｂ）配列番号１、３、４、６、７、９、１０、１２、１３、１５、１６、１８、１９、２１、２２、２４、２５、２７、２８、３０、３１、３３、３４、３６、３７、３９、４０、４２、４３、４５、４６、４８、４９、５１、５２、５４、５５、５７、５８、６０、６１、６３、６４または６６のヌクレオチド配列を含む核酸分子；
ｃ）配列番号２、５、８、１１、１４、１７、２０、２３、２６、２９、３２、３５、３８、４１、４４、４７、５０、５３、５６、５９、６２または６５のアミノ酸配列と少なくとも９５％同一であるアミノ酸配列を含むポリペプチドをコードする核酸分子；および
ｄ）配列番号２、５、８、１１、１４、１７、２０、２３、２６、２９、３２、３５、３８、４１、４４、４７、５０、５３、５６、５９、６２または６５のアミノ酸配列をコードする核酸分子；ならびに
ｉｉ）該試験化合物が該核酸分子の発現を調節する能力をアッセイする工程
を包含し、それによって、過形成を調節し得る化合物を同定する、方法。
【請求項７】
前記化合物が、低分子、ペプチドおよび抗体からなる群より選択される、請求項１、２、４または５に記載の方法。
【請求項８】
前記化合物が、アンチセンス核酸分子である、請求項３または６に記載の方法。
【請求項９】
前記ポリペプチドが、異種アミノ酸配列をさらに含む、請求項１、２、４または５に記載の方法。
【請求項１０】
前記サンプルが、細胞または単離されたポリペプチドである、請求項１、２、４または５に記載の方法。
【請求項１１】
前記細胞が、膀胱細胞および前立腺細胞からなる群より選択される、請求項３、６または１０に記載の方法。
【請求項１２】
泌尿器系障害を有するかまたは泌尿器系障害を発症する危険性のある被験体を同定するためのキットであって、該キットは、第１の増幅プライマーおよび第２の増幅プライマーを含み、該第１のプライマーは、配列番号１、３、４、６、７、９、１０、１２、１３、１５、１６、１８、１９、２１、２２、２４、２５、２７、２８、３０、３１、３３、３４、３６、３７、３９、４０、４２、４３、４５、４６、４８、４９、５１、５２、５４、５５、５７、５８、６０、６１、６３、６４または６６のうちの少なくとも２５個連続したヌクレオチドを含み、そして該第２のプライマーは、配列番号１、３、４、６、７、９、１０、１２、１３、１５、１６、１８、１９、２１、２２、２４、２５、２７、２８、３０、３１、３３、３４、３６、３７、３９、４０、４２、４３、４５、４６、４８、４９、５１、５２、５４、５５、５７、５８、６０、６１、６３、６４または６６の相補体に由来する少なくとも２５個連続したヌクレオチドを含む、キット。
【請求項１３】
泌尿器系障害を有するかまたは泌尿器系障害を発症する危険性のある被験体を同定するためのキットであって、該キットは、以下からなる群より選択されるポリペプチド：
ａ）配列番号２、５、８、１１、１４、１７、２０、２３、２６、２９、３２、３５、３８、４１、４４、４７、５０、５３、５６、５９、６２または６５のアミノ酸配列と少なくとも９５％同一であるアミノ酸配列を含むポリペプチド；
ｂ）配列番号１、３、４、６、７、９、１０、１２、１３、１５、１６、１８、１９、２１、２２、２４、２５、２７、２８、３０、３１、３３、３４、３６、３７、３９、４０、４２、４３、４５、４６、４８、４９、５１、５２、５４、５５、５７、５８、６０、６１、６３、６４または６６のヌクレオチド配列を含む核酸と少なくとも９５％同一であるヌクレオチド配列を含む核酸分子によってコードされるポリペプチド；
ｃ）配列番号２、５、８、１１、１４、１７、２０、２３、２６、２９、３２、３５、３８、４１、４４、４７、５０、５３、５６、５９、６２または６５のアミノ酸配列を含むポリペプチド；および
ｄ）配列番号１、３、４、６、７、９、１０、１２、１３、１５、１６、１８、１９、２１、２２、２４、２５、２７、２８、３０、３１、３３、３４、３６、３７、３９、４０、４２、４３、４５、４６、４８、４９、５１、５２、５４、５５、５７、５８、６０、６１、６３、６４または６６に示されるヌクレオチド配列によってコードされるポリペプチド
ならびに該ポリペプチドに対して選択的に結合し得る抗体を含む、キット。
【請求項１４】
前記泌尿器系障害は、過剰活性／過剰感受性の膀胱を含む尿失禁、溢流尿失禁、膀胱、尿道もしくは中枢神経系／末梢神経系の機能不全によって引き起こされる腹圧性尿失禁、前立腺炎、良性前立腺肥大、前立腺癌、または腎臓障害である、請求項１２または１３に記載のキット。
【請求項１５】
泌尿器系障害を有する被験体を処置するための薬学的組成物であって、請求項１、２、３、４、５または６で同定される化合物を含む、薬学的組成物。
【請求項１６】
前記泌尿器系障害は、過剰活性／過剰感受性の膀胱を含む尿失禁、溢流尿失禁、膀胱、尿道もしくは中枢神経系／末梢神経系の機能不全によって引き起こされる腹圧性尿失禁、前立腺炎、良性前立腺肥大、前立腺癌、または腎臓障害である、請求項１５に記載の薬学的組成物。